【手続補正書】
【提出日】平成28年3月30日(2016.3.30)
【手続補正１】
【補正対象書類名】特許請求の範囲
【補正対象項目名】全文
【補正方法】変更
【補正の内容】
【特許請求の範囲】
【請求項１】
複数種類の図柄を可変表示する複数のリールと、
前記複数のリールを回転開始させるためのリール回転開始操作を受け付ける回転開始操作手段及び前記複数のリールの各々を回転停止させるためのリール回転停止操作を受け付ける複数の回転停止操作手段と、
所定の役決定開始条件が充足されたことを契機として、予め設定された役決定確率に基づき特定の役決定結果及び所定の役決定結果を含む複数の役決定結果の中から少なくとも１つの役決定結果を選出可能である役決定手段と、
前記回転開始操作手段が受け付けた前記リール回転開始操作または前記複数の回転停止操作手段が受け付けた前記リール回転停止操作と前記役決定手段により選出された役決定結果とに基づき前記複数のリールの駆動を制御するリール制御手段と、
所定の設定変更指令操作に基づき前記役決定確率の設定を変更可能とする設定変更手段と、
所定の遊技状態変更条件が充足されたことを契機として、複数の遊技状態の間で遊技状態を移行させる遊技状態制御手段と、
所定の契機により遊技者に対する特典を付与可能とする特典付与選択手段と、
リール回転停止操作の態様に関する有用な情報を報知するアシスト演出を実行する演出実行手段と、を備え、
前記遊技状態として、少なくとも、前記役決定手段により前記特定の役決定結果が選出されない第１遊技状態と、前記役決定手段により前記特定の役決定結果が選出可能な第２遊技状態とを含む、スロットマシンであって、
前記リール制御手段は、前記役決定手段により前記特定の役決定結果が選出された際に、前記複数の回転停止操作手段が受け付けた前記リール回転停止操作の態様が特定の態様であることにより、特定の図柄組合せを停止表示可能に制御し、
前記リール制御手段は、前記役決定手段により前記所定の役決定結果が選出された際に、前記複数の回転停止操作手段が受け付けた前記リール回転停止操作の態様に応じて遊技者に有利な所定の図柄組合せを停止表示可能に制御し、
前記演出実行手段は、所定のアシスト演出開始条件が充足された場合には、所定の終了条件を満たすまで、前記所定の図柄組合せを表示するために有用な情報を報知可能に制御し、
前記特典付与選択手段は、前記特定の役決定結果が前記役決定手段により選出されるという特定の状態の発生を前記所定の契機とし、所定のアシスト演出開始条件が充足されてから所定の終了条件を満たすまでの期間において、前記特定の状態が発生した場合は遊技者に特典を付与可能とし、前記設定変更手段により前記役決定確率が設定変更された際には所定のアシスト演出開始条件を充足するまで、前記特定の状態が発生した場合であっても遊技者に特典を付与しないように構成されている、ことを特徴とするスロットマシン。
【請求項２】
複数種類の図柄を可変表示する複数のリールと、
前記複数のリールを回転開始させるためのリール回転開始操作を受け付ける回転開始操作手段及び前記複数のリールの各々を回転停止させるためのリール回転停止操作を受け付ける複数の回転停止操作手段と、
所定の役決定開始条件が充足されたことを契機として、予め設定された役決定確率に基づき特定の役決定結果及び所定の役決定結果を含む複数の役決定結果の中から少なくとも１つの役決定結果を選出可能である役決定手段と、
前記回転開始操作手段が受け付けた前記リール回転開始操作または前記複数の回転停止操作手段が受け付けた前記リール回転停止操作と前記役決定手段により選出された役決定結果とに基づき前記複数のリールの駆動を制御するリール制御手段と、
所定の設定変更指令操作に基づき前記役決定確率の設定を変更可能とする設定変更手段と、
所定の遊技状態変更条件が充足されたことを契機として、複数の遊技状態の間で遊技状態を移行させる遊技状態制御手段と、
所定の契機により遊技者に対する特典を付与可能とする特典付与選択手段と、
リール回転停止操作の態様に関する有用な情報を報知するアシスト演出を実行する演出実行手段と、を備え、
前記遊技状態として、少なくとも、前記役決定手段により前記特定の役決定結果が選出されない第１遊技状態と、前記役決定手段により前記特定の役決定結果が選出可能な第２遊技状態とを含む、スロットマシンであって、
前記リール制御手段は、前記役決定手段により前記特定の役決定結果が選出された際に、前記複数の回転停止操作手段が受け付けた前記リール回転停止操作の態様が特定の態様であることにより、特定の図柄組合せを停止表示可能に制御し、
前記リール制御手段は、前記役決定手段により前記所定の役決定結果が選出された際に、前記複数の回転停止操作手段が受け付けた前記リール回転停止操作の態様に応じて遊技者に有利な所定の図柄組合せを停止表示可能に制御し、
前記演出実行手段は、所定のアシスト演出開始条件が充足された場合には、所定の終了条件を満たすまで、前記所定の図柄組合せを表示するために有用な情報を報知可能に制御し、
前記特典付与選択手段は、前記特定の図柄組合せが停止表示されるという特定の状態の発生を前記所定の契機とし、所定のアシスト演出開始条件が充足されてから所定の終了条件を満たすまでの期間において、前記特定の状態が発生した場合は遊技者に特典を付与可能とし、前記設定変更手段により前記役決定確率が設定変更された際には所定のアシスト演出開始条件を充足するまで、前記特定の状態が発生した場合であっても遊技者に特典を付与しないように構成されている、ことを特徴とするスロットマシン。
【手続補正２】
【補正対象書類名】明細書
【補正対象項目名】００１９
【補正方法】変更
【補正の内容】
【００１９】
本発明に係るスロットマシンは、複数種類の図柄を可変表示する複数のリールと、複数のリールを回転開始させるためのリール回転開始操作を受け付ける回転開始操作手段（例えば、スタートレバー２５）及び複数のリールの各々を回転停止させるためのリール回転停止操作を受け付ける複数の回転停止操作手段（例えば、ストップスイッチ２６ａ，２６ｂ，２６ｃ）と、所定の役決定開始条件が充足されたこと（例えば、スタートレバー２５の傾動操作が有効に受け付けられたこと）を契機として、予め設定された役決定確率に基づき特定の役決定結果（例えば、役決定結果Ａ３１〜Ａ３３）及び所定の役決定結果（例えば、役決定結果Ａ６〜Ａ１７）を含む複数の役決定結果（例えば、役決定結果Ａ１〜Ａ３８）の中から少なくとも１つの役決定結果を選出可能である役決定手段と、回転開始操作手段が受け付けたリール回転開始操作または複数の回転停止操作手段が受け付けたリール回転停止操作と役決定手段により選出された役決定結果とに基づき複数のリールの駆動を制御するリール制御手段と、所定の設定変更指令操作（例えば、設定変更スイッチ８４の操作）に基づき役決定確率の設定を変更可能とする設定変更手段と、所定の遊技状態変更条件が充足されたことを契機として、複数の遊技状態の間で遊技状態を移行させる遊技状態制御手段と、所定の契機により遊技者に対する特典を付与可能とする特典付与選択手段と、リール回転停止操作の態様に関する有用な情報を報知するアシスト演出を実行する演出実行手段（例えば、画像表示装置１１等）と、を備え、前記遊技状態として、少なくとも、役決定手段により前記特定の役決定結果が選出されない第１遊技状態と、役決定手段により前記特定の役決定結果が選出可能な第２遊技状態（例えば、ＲＴ２遊技状態）とを含む、スロットマシンであって、リール制御手段は、役決定手段により前記特定の役決定結果が選出された際に、複数の回転停止操作手段が受け付けたリール回転停止操作の態様が特定の態様であることにより、特定の図柄組合せ（例えば、「チェリー・リプレイＡ／Ｂ・リプレイＡ／Ｂ」）を停止表示可能に制御し、リール制御手段は、役決定手段により前記所定の役決定結果が選出された際に、複数の回転停止操作手段が受け付けたリール回転停止操作の態様に応じて遊技者に有利な所定の図柄組合せ（例えば、「ベルＡ／Ｂ・ベルＡ／Ｂ・ベルＡ／Ｂ」）を停止表示可能に制御し、演出実行手段は、所定のアシスト演出開始条件が充足された場合には、所定の終了条件を満たすまで、前記所定の図柄組合せを表示するために有用な情報を報知可能に制御し、特典付与選択手段は、前記特定の役決定結果が前記役決定手段により選出されるという特定の状態の発生を前記所定の契機とし、所定のアシスト演出開始条件が充足されてから所定の終了条件を満たすまでの期間において、前記特定の状態が発生した場合は遊技者に特典を付与可能とし、設定変更手段により役決定確率が設定変更された際には所定のアシスト演出開始条件を充足するまで、前記特定の状態が発生した場合であっても遊技者に特典を付与しないように構成されている、ことを特徴とする。
本発明に係る他のスロットマシンは、複数種類の図柄を可変表示する複数のリールと、複数のリールを回転開始させるためのリール回転開始操作を受け付ける回転開始操作手段（例えば、スタートレバー２５）及び複数のリールの各々を回転停止させるためのリール回転停止操作を受け付ける複数の回転停止操作手段（例えば、ストップスイッチ２６ａ，２６ｂ，２６ｃ）と、所定の役決定開始条件が充足されたこと（例えば、スタートレバー２５の傾動操作が有効に受け付けられたこと）を契機として、予め設定された役決定確率に基づき特定の役決定結果（例えば、役決定結果Ａ３１〜Ａ３３）及び所定の役決定結果（例えば、役決定結果Ａ６〜Ａ１７）を含む複数の役決定結果（例えば、役決定結果Ａ１〜Ａ３８）の中から少なくとも１つの役決定結果を選出可能である役決定手段と、回転開始操作手段が受け付けたリール回転開始操作または複数の回転停止操作手段が受け付けたリール回転停止操作と役決定手段により選出された役決定結果とに基づき複数のリールの駆動を制御するリール制御手段と、所定の設定変更指令操作（例えば、設定変更スイッチ８４の操作）に基づき役決定確率の設定を変更可能とする設定変更手段と、所定の遊技状態変更条件が充足されたことを契機として、複数の遊技状態の間で遊技状態を移行させる遊技状態制御手段と、所定の契機により遊技者に対する特典を付与可能とする特典付与選択手段と、リール回転停止操作の態様に関する有用な情報を報知するアシスト演出を実行する演出実行手段（例えば、画像表示装置１１等）と、を備え、前記遊技状態として、少なくとも、役決定手段により前記特定の役決定結果が選出されない第１遊技状態と、役決定手段により前記特定の役決定結果が選出可能な第２遊技状態（例えば、ＲＴ２遊技状態）とを含む、スロットマシンであって、リール制御手段は、役決定手段により前記特定の役決定結果が選出された際に、複数の回転停止操作手段が受け付けたリール回転停止操作の態様が特定の態様であることにより、特定の図柄組合せ（例えば、「チェリー・リプレイＡ／Ｂ・リプレイＡ／Ｂ」）を停止表示可能に制御し、リール制御手段は、役決定手段により前記所定の役決定結果が選出された際に、複数の回転停止操作手段が受け付けたリール回転停止操作の態様に応じて遊技者に有利な所定の図柄組合せ（例えば、「ベルＡ／Ｂ・ベルＡ／Ｂ・ベルＡ／Ｂ」）を停止表示可能に制御し、演出実行手段は、所定のアシスト演出開始条件が充足された場合には、所定の終了条件を満たすまで、前記所定の図柄組合せを表示するために有用な情報を報知可能に制御し、特典付与選択手段は、前記特定の図柄組合せが停止表示されるという特定の状態の発生を前記所定の契機とし、所定のアシスト演出開始条件が充足されてから所定の終了条件を満たすまでの期間において、前記特定の状態が発生した場合は遊技者に特典を付与可能とし、設定変更手段により役決定確率が設定変更された際には所定のアシスト演出開始条件を充足するまで、前記特定の状態が発生した場合であっても遊技者に特典を付与しないように構成されている、ことを特徴とする。
参考のスロットマシンは、複数種類の図柄を可変表示する複数のリールと、複数のリールを回転開始させるためのリール回転開始操作（例えば、スタートレバー２５の傾動操作）及び複数のリールの各々を回転停止させるためのリール回転停止操作（例えば、ストップスイッチ２６ａ，２６ｂ，２６ｃの押圧操作）を順次受け付ける操作手段と、所定の役決定開始条件が充足されたこと（例えば、スタートレバー２５の傾動操作が有効に受け付けられたこと）を契機として、予め設定された役決定確率に基づき複数の役決定結果（例えば、役決定結果Ａ１〜Ａ３４）の中から少なくとも１つの役決定結果を選出する役決定手段と、操作手段が受け付けたリール回転開始操作及びリール回転停止操作と前記役決定手段により選出された役決定結果とに基づき複数のリールの駆動を制御するリール制御手段と、所定の設定変更指令操作（例えば、設定変更スイッチ８４の操作）に基づき役決定確率の設定を変更する設定変更手段と、所定の遊技状態変更条件が充足されたことを契機として、複数の遊技状態の間で遊技状態を移行させる遊技状態制御手段と、遊技状態制御手段により設定された遊技状態に基づいて演出を実行する演出実行手段（例えば、演出実行制御手段１１２、画像表示装置１１等）と、を備え、役決定確率が設定変更された際には、遊技状態制御手段は、設定変更前の遊技状態に応じて設定変更後に設定する遊技状態（例えば、設定変更前の遊技状態と同じ遊技状態）を決定し、演出実行手段は、設定変更後に設定された遊技状態に応じて設定変更後は所定の遊技状態（例えば、通常遊技状態）に基づく演出（例えば、非ＡＲＴ演出）を実行するように構成され、複数の遊技状態のうち、特定種類の役決定結果（例えば、再遊技役を当選役とする役決定結果）の役決定確率が通常遊技状態よりも高く設定された有利遊技状態（例えば、ＲＴ１遊技状態）においては、特定の遊技結果が発生することが、当該有利遊技状態から前記所定の遊技状態への遊技状態変更条件とされたスロットマシンであって、設定変更後に有利遊技状態に設定されかつ通常遊技状態に移行されるまでの有利設定状態継続期間（例えば、ＲＴ１復帰継続期間）において、前記特定の遊技結果が発生する可能性が生じた場合には、該特定の遊技結果の発生を誘導するための誘導報知演出が演出実行手段により行われるように構成されていることを特徴とする。